(57)【要約】【目的】調髪により髪のキューティクルが傷つくことを防止することができるヘアーカッターの実現を目的とする。【構成】把持部１２と、刃３２と、刃３２を加熱する加熱手段と、を有する構成としたため、把持部１２を持ち加熱手段により加熱された刃３２で髪を切ることにより、刃３２による切断でキューティクルに傷が付いてしまうことを防止できる。この結果、ヘアーカッター１０の刃３２で髪を切っても、髪がパサつくことがなく、櫛通りも良くなる。【選択図】      図１
2005270616.tif 000002
【特許請求の範囲】
【請求項１】
頭髪の調髪用のヘアーカッターにおいて、
把持部と、この把持部の先端に設けられる刃部と、この刃部を加熱する加熱手段と、を有することを特徴とするヘアーカッター。
【請求項２】
頭髪の調髪用のヘアーカッターにおいて、
把持部と、この把持部の先端に設けられる刃部と、この刃部を加熱する加熱手段と、前記刃部に振動を与える加振手段と、前記加熱手段および前記加振手段の動作を夫々制御するスイッチ手段とを有することを特徴とするヘアーカッター。
【請求項３】
前記加振手段による振動の方向は前記刃部の刃の長さ方向であることを特徴とする請求項２に記載のヘアーカッター。
【請求項４】
前記加振手段による振動の方向は前記刃部の刃の長さ方向に対して垂直な方向であることを特徴とする請求項２に記載のヘアーカッター。
【請求項５】
前記刃部は略平行に設けられた複数枚の刃で構成され、各々の前記刃の刃先までの高さはそれぞれ異なっていることを特徴とする請求項１乃至請求項４のいずれか１項に記載のヘアーカッター。
【請求項６】
前記把持部には長さ方向に回転する回転軸を介してヘッド部が設けられ、
前記刃部は前記ヘッド部に取り付けられており、前記ヘッド部は前記回転軸の軸回りに長さ方向に折れ曲がるように回転することを特徴とする請求項１乃至請求項５のいずれか１項に記載のヘアーカッター。
【請求項７】
前記刃は、前記刃部に着脱可能に設けられていることを特徴とする請求項１乃至請求項６のいずれか１項に記載のヘアーカッター。
【請求項８】
前記刃の前記刃部からの抜けを防止する抜け防止手段が設けられていることを特徴とする請求項７に記載のヘアーカッター。
【請求項９】
前記加熱手段は、前記刃に接続された発熱部と、前記発熱部の発熱を制御する制御部と、電源と接続されて前記制御部に前記電源からの電圧を印加するコード状の電圧印加部と、を有し、
前記電圧印加部は当該電圧印加部の中心軸の周囲に回転可能となるように前記把持部に取り付けられていることを特徴とする請求項１乃至請求項８のいずれか１項に記載のヘアーカッター。
【請求項１０】
前記把持部は、手になじむように湾曲していることを特徴とする請求項１乃至請求項９のいずれか１項に記載のヘアーカッター。
【請求項１１】
前記刃の刃先の近傍には山部と谷部とが交互に連なった整髪部が設けられ、
前記刃先は前記山部と前記谷部との間に位置していることを特徴とする請求項１乃至請求項１０のいずれか１項に記載のヘアーカッター。
【請求項１２】
前記山部の先端が前記刃先と平行に切断されたような切断形状になっていることを特徴とする請求項１１に記載のヘアーカッター。
【請求項１３】
前記刃が前記刃部から抜け出る方向に前記刃を押し出す押出手段が設けられていることを特徴とする請求項７乃至請求項１２のいずれか１項に記載のヘアーカッター。
【請求項１４】
前記加熱手段によって加熱される前記刃の温度を１００℃以上３００℃以下、特に好ましくは１３０℃以上２２０℃以下とすることを特徴とする請求項１乃至請求項１３のいずれか１項に記載のヘアーカッター。
【請求項１５】
前記加熱手段によって前記刃の温度が前記温度範囲にあるときに表示する適温表示手段を有することを特徴とする請求項１４に記載のヘアーカッター。
【発明の詳細な説明】
【技術分野】
【０００１】
本発明は、頭髪の調髪などに用いるヘアーカッターに関する。
【背景技術】
【０００２】
従来から理容店等において、ヘアーカッターにより髪を調髪することが知られている。ヘアーカッターによる調髪は、理容師、美容師の技術によって、質感、量感、立体感を生み出すことができるため、調髪に不自然さがなく、おしゃれなスタイルを作り上げることができる。しかし、ヘアーカッターで調髪を仕上げるためには、それなりの技術と腕の力が必要である。調髪技術がうまくなかったり、刃先が切れなかったり、毛髪を切断する力が足りなかったりすると、毛髪の切断面が粗く、引きちぎられたようになり、これによって毛髪のキューティクルを傷つけてしまうと、毛髪がパサついたり、艶がなくなったり、櫛通りが悪くなるなどの原因になっていた。
【０００３】
なお、従来技術として現在報告されているヘアーカッターとしては、替刃ホルダーに２以上の替刃、替櫛を相互に上下にずらして段階的に備えたもの（特許文献１参照。）刃に振動を与えるようにしたもの（特許文献２参照。）などがあるが、このような問題に必ずしも十分に対処できているとはいえない。
【特許文献１】特開２００２−１５９７６７号公報
【特許文献２】特開２００２−１７２２８０号公報
【発明の開示】
【発明が解決しようとする課題】
【０００４】
上述のように、ヘアーカッターによる髪の調髪は、調髪技術がうまくなかったり、刃先が切れなかったりすると、毛髪のキューティクルを傷つけてしまい、調髪後において髪がパサついたり、艶がなくなったり、櫛通りが悪くなるといった問題があった。
【０００５】
そこで、本発明は、上記事情を考慮し、調髪により毛髪のキューティクルが傷つくことを防止することができるヘアーカッターを提供することを目的とする。
【課題を解決するための手段】
【０００６】
請求項１に記載の発明は、頭髪の調髪用のヘアーカッターにおいて、把持部と、この把持部の先端に設けられる刃部と、この刃部を加熱する加熱手段と、を有することを特徴とする。
【０００７】
請求項１に記載の発明によれば、把持部を持ち加熱手段により加熱された刃で髪を切ることにより、刃による切断でキューティクルに傷が付いてしまうことを防止できる。この結果、ヘアーカッターの刃で髪を切っても、髪がパサつくことがなく、艶がなくなることがなく、櫛通りも良くなる。
【０００８】
請求項２の発明は、頭髪の調髪用のヘアーカッターにおいて、持部と、この把持部の先端に設けられる刃部と、この刃部を加熱する加熱手段と、前記刃部に振動を与える加振手段と、前記加熱手段および前記加振手段の動作を夫々制御するスイッチ手段とを有することを特徴とする。
【０００９】
請求項２の発明によれば、把持部を持ち加熱手段により加熱され加振手段で振動された刃で髪を切ることにより、キューティクルに傷が付いてしまうことを防止でき、容易に毛髪を切断することができる。この結果、ヘアーカッターの刃で髪を切っても、髪がパサつくことがなく、艶がなくなることがなく、櫛通りも良くなる。
【００１０】
請求項３に記載の発明は、請求項２に記載のヘアーカッターにおいて、前記加振手段による振動の方向は前記刃部の刃の長さ方向であることを特徴とする。
【００１１】
これにより、毛髪に対して垂直な方向への微細振動を与えながら毛髪を切断することができ、毛髪を傷つけることなく容易に切断することができる。
【００１２】
請求項４に記載の発明は、請求項２に記載のヘアーカッターにおいて、前記加振手段による振動の方向は前記刃部の刃の長さ方向に対して垂直な方向であることを特徴とする。
【００１３】
これにより、毛髪の長さ方向への微細振動を与えながら毛髪を切断することができ、毛髪が引きつられるようなことがなく、毛髪を傷つけることなく切断することができる。
【００１４】
請求項５に記載の発明は、請求項１乃至請求項４のいずれか１項に記載のヘアーカッターにおいて、前記刃部は略平行に設けられた複数枚の刃で構成され、各々の前記刃の刃先までの高さはそれぞれ異なっていることを特徴とする。
【００１５】
請求項５に記載の発明によれば、刃を略平行に設けられた複数枚の刃とし、各刃の刃先までの高さをそれぞれ異ならせることにより、ヘアーカッターにより切断する髪の長さにバリエーションを持たせることができる。このため、自然なヘアスタイルに仕上げることができる。
【００１６】
請求項６に記載の発明は、請求項１乃至請求項５のいずれか１項に記載のヘアーカッターにおいて、前記把持部には長さ方向に回転する回転軸を介してヘッド部が設けられ、前記刃部は前記ヘッド部に取り付けられており、前記ヘッド部は前記回転軸の軸回りに長さ方向に折れ曲がるように回転することを特徴とする。
【００１７】
請求項６に記載の発明によれば、刃が取り付けられる刃部を有するヘッド部は、回転軸の軸回りに長さ方向に折れ曲がるように回転する。これにより、ヘッド部を把持部に対して折り曲げることができ、ヘアーカッターの不使用時には、ヘッド部を折り曲げ、刃部を畳んで収納することができる。
【００１８】
請求項７に記載の発明は、請求項１乃至請求項６のいずれか１項に記載のヘアーカッターにおいて、前記刃は、前記刃部に着脱可能に設けられていることを特徴とする。
【００１９】
請求項７に記載の発明によれば、刃が刃部に着脱可能に設けられているため、刃の切れ味が衰えたり、刃が破損等した場合には、別の新しい刃に容易に取り換えることができる。
【００２０】
請求項８に記載の発明は、請求項７に記載のヘアーカッターにおいて、前記刃の前記刃部からの抜けを防止する抜け防止手段が設けられていることを特徴とする。
【００２１】
請求項８に記載の発明によれば、抜け防止手段を設けたことにより、刃の刃部からの抜けを防止することができる。このため、調髪作業を円滑かつ効率良く行うことができる。
【００２２】
請求項９に記載の発明は、請求項１乃至請求項８のいずれか１項に記載のヘアーカッターにおいて、前記加熱手段は、前記刃に接続された発熱部と、前記発熱部の発熱を制御する制御部と、電源と接続されて前記制御部に前記電源からの電圧を印加するコード状の電圧印加部と、を有し、前記電圧印加部は当該電圧印加部の中心軸の周囲に回転可能となるように前記把持部に取り付けられていることを特徴とする。
【００２３】
請求項９に記載の発明によれば、電圧印加部により電圧が制御部に印加され、制御部によって発熱部の発熱が制御される。発熱部の発熱により発熱部と接続されている刃が加熱される。ここで、電圧印加部がその軸回りに回転可能となるように把持部に取り付けられているため、ヘアーカッターの使用時にコード状の電圧印加部がねじれることを防止できる。
【００２４】
請求項１０に記載の発明は、請求項１乃至請求項９のいずれか１項に記載のヘアーカッターにおいて、前記把持部は、手になじむように湾曲していることを特徴とする。
【００２５】
請求項１０に記載の発明によれば、把持部が手になじむように湾曲しているため、把持部を握り易くすることができる。
【００２６】
請求項１１に記載の発明は、請求項１乃至請求項１０のいずれか１項に記載のヘアーカッターにおいて、前記刃の刃先の近傍には山部と谷部とが交互に連なった整髪部が設けられ、前記刃先は前記山部と前記谷部との間に位置していることを特徴とする。
【００２７】
請求項１１に記載の発明によれば、刃の刃先の近傍には山部と谷部とが交互に連なった整髪部が設けられており、その刃先が山部と谷部との間に位置しているため、刃で髪を切ると、谷部に位置する髪が刃で切断される一方、髪の一部が山部により押し退けられる。これにより、髪の長さに長短をつけることができ、自然なヘアスタイルに仕上げることができる。
【００２８】
請求項１２に記載の発明は、請求項１１に記載のヘアーカッターにおいて、前記山部の先端が前記刃先と平行に切断されたような切断形状になっていることを特徴とする。
【００２９】
請求項１２に記載の発明によれば、整髪部の櫛状の山部の先端が切断形状になっているため、毛髪が山部の曲線に沿って流れて整髪部と刃との間に挟まることがなく、髪の毛が引き連れて利用者に不快感を与えることなく、髪の毛の切断を安全にスムーズに実行することができる。
【００３０】
請求項１３に記載の発明は、請求項６乃至請求項１２のいずれか１項に記載のヘアーカッターにおいて、前記刃が前記刃部から抜け出る方向に前記刃を押し出す押出手段が設けられていることを特徴とする。
【００３１】
請求項１３に記載の発明によれば、押出手段により刃がヘッド部から抜け出る方向に押し出されるため、ヘッド部からの刃の取り外しが容易になる。
【００３２】
請求項１４に記載の発明は、請求項１乃至請求項１３のいずれか１項に記載のヘアーカッターにおいて、前記加熱手段によって加熱される前記刃の温度を１００℃以上３００℃以下、特に好ましくは１３０℃以上２２０℃以下とすることを特徴とする。
【００３３】
請求項１４に記載の発明によれば、ヘアーカッターの刃の温度を１００℃以上３００℃以下、特に好ましくは１３０℃以上２２０℃以下とすることにより、髪のキューティクルに傷を付けず調髪することができる。
逆に、刃の温度が１００℃未満であると、加熱の効果があまりなく不適当である。
また、刃の温度が３００℃より高いと、高熱によりキューティクルを傷つけてしまうため不適当である。
【００３４】
請求項１５に記載の発明は、請求項１４に記載のヘアーカッターにおいて、前記加熱手段によって前記刃の温度が前記温度範囲にあるときに表示する適温表示手段を有することを特徴とする。
【００３５】
請求項１５に記載の発明によれば、ヘアーカッターの刃の温度が適温にあることを適温表示手段が表示するので、不適当な温度での理髪を避けて、毛髪を傷つけることを回避することができる。
【発明の効果】
【００３６】
請求項１に記載の発明は、把持部を持ち加熱手段により加熱された刃で毛髪を切ることにより、毛髪の切断が容易にでき、切断面が引きちぎったようにならず、刃による切断でキューティクルに傷が付いてしまうことを防止できる。この結果、ヘアーカッターの刃で髪を切っても、髪がパサついたり、色艶が悪くなったりすることがなく、櫛通りも良くなる。
【００３７】
請求項２に記載の発明は、把持部を持ち加熱手段により加熱され且つ加振手段によって振動される刃で毛髪を切ることにより、毛髪の切断が滑らかに容易にでき、切断面が引きちぎったようにならず、この刃による切断でキューティクルに傷が付いてしまうことを防止できる。この結果、ヘアーカッターの刃で髪を切っても、髪がパサついたり、色艶が悪くなったりすることがなく、櫛通りも良くなる。
【００３８】
請求項３に記載の発明は、加振手段により、刃にその長さ方向の振動が加わり、毛髪が容易に切断されるので、理容師、美容師の技術に関係なく、毛髪に負担を与えず切断することができ、ヘアーカッターの刃で髪を切っても、毛髪が痛まず、髪がパサついたり、色艶が悪くなったりすることがなく、櫛通りも良くなる。
【００３９】
請求項４に記載の発明は、加振手段により、刃を左右に振る振動が刃に加わり、刃が毛髪の長さ方向に振動して毛髪に負担を与えず切断することができ、ヘアーカッターの刃で髪を切っても、毛髪が痛まず、髪がパサついたり、色艶が悪くなったりすることがなく、櫛通りも良くなる。
【００４０】
請求項５に記載の発明は、刃を略平行に設けられた複数枚の刃とし、各刃の刃先までの高さをそれぞれ異ならせることにより、ヘアーカッターにより切断する髪の長さにバリエーションを持たせることができる。このため、自然なヘアスタイルに仕上げることができる。
【００４１】
請求項６に記載の発明は、刃が取り付けられた刃部を有するヘッド部が回転軸の軸回りに回転する。これにより、ヘッド部を把持部に対して長さ方向に折り曲げることができる。この結果、ヘアーカッターの不使用時には、ヘッド部を折り曲げ、刃部畳んで安全に収納することができる。
【００４２】
請求項７に記載の発明は、刃が刃部に着脱可能に設けられているため、刃先が切れなくなったり、刃が破損等した場合には、別の新しい刃に容易に取り換えることができる。
【００４３】
請求項８に記載の発明は、抜け防止手段を設けたことにより、刃の刃部からの抜けを防止することができる。このため、調髪作業を円滑かつ効率良く行うことができる。
【００４４】
請求項９に記載の発明は、電圧印加部により電圧が制御部に印加され、制御部によって発熱部の発熱が制御される。発熱部の発熱により発熱部と接続されている刃が加熱される。ここで、電圧印加部がその軸回りに回転可能となるように把持部に取り付けられているため、ヘアーカッターの使用時にコード状の電圧印加部がねじれることを防止できる。
【００４５】
請求項１０に記載の発明は、把持部が湾曲しているため、把持部を握り易くすることができる。
【００４６】
請求項１１に記載の発明は、刃の刃先の近傍には山部と谷部とが交互に連なった整髪部が設けられており、その刃先が山部と谷部との間に位置しているため、刃で髪を切ると、谷部に位置する髪が刃で切断される一方、髪の一部が山部により押し退けられる。これにより、髪の長さに長短をつけることができ、自然なヘアスタイルに仕上げることができる。
【００４７】
請求項１２に記載の発明は、整髪部の櫛状の山部の先端を切断形状にするため、毛髪が山部の曲線に沿って流れて整髪部と刃との間に挟まることがなく、髪の毛が引き連れて利用者に不快感を与えることなく、髪の毛の切断を安全にスムーズに実行することができる。
【００４８】
請求項１３に記載の発明は、押出手段により刃がヘッド部から抜け出る方向に押し出されるため、ヘッド部からの刃の取り外しが容易になる。
【００４９】
請求項１４に記載の発明は、ヘアーカッターの刃の温度を１００℃以上３００℃以下、特に好ましくは１３０℃以上２２０℃以下とすることにより、髪のキューティクルに傷を付けずに調髪することができる。
【００５０】
請求項１５に記載の発明は、ヘアーカッターの刃の温度が適温のときに表示する適温表示手段を設けたので、毛髪にとって好ましい温度で調髪することができる。
【発明を実施するための最良の形態】
【００５１】
次に、本発明のヘアーカッターの実施の形態について、図面を参照して説明する。
【００５２】
図１に本発明のヘアーカッターの一実施の形態の使用状態を、図２にその平面図を、図３にその正面図を、図４にその背面図を、図５にその底面図を、図６にその左側側面図を、図７にその右側側面図を示す。また図８に本発明のヘアーカッターの他の実施の形態の背面図を、さらに図１０に本発明のヘアーカッターのさらに他の実施の形態の正面図を示した。
図１乃至図７に示すように、第１の実施の形態のヘアーカッター１０は、把持部１２を備えている。この把持部１２は、全体として湾曲状に形成されており、凹部側１４と凸部側１６を有している。把持部１２の後端部近傍には使用時に小指を掛けるための開口部１８が形成されている。また、把持部１２の後端部には先端にコネクタ（図示省略）を備えたコード部（電圧印加部）２０が接続されている。このコネクタは、外部に設置されている電源に接続される。
【００５３】
また、把持部１２の先端部には、ヘッド部２２が設けられている。このヘッド部２２は、把持部１２と一体形成されている。また、ヘッド部２２と把持部１２との境界には、使用時に親指と人差し指とを位置させる押圧部２６Ａ、２６Ｂが形成されている。この押圧部２６Ａ、２６Ｂの表面は滑らかに湾曲している。このように、ヘアーカッター１０の使用時には、押圧部２６Ａ、２６Ｂに親指と人差し指とをそれぞれ位置させ、小指を開口部１８に引っ掛けることにより、ヘアーカッター１０を容易に操作することができる。また、把持部１２が湾曲しているため、把持部１２の凹部側１４に中指と薬指を載せることにより、ヘアーカッター１０を安定して支持することができるとともにヘアーカッター１０の操作性をさらに向上させることができる。
【００５４】
また、ヘッド部２２には、刃部を構成する一対の金属性の支持プレート２４Ａ、２４Ｂが設けられている。この支持プレート２４Ａ、２４Ｂの間には取付刃２８が挿入されている。この取付刃２８は、一対の金属性の狭持片（整髪部）３０Ａ、３０Ｂと、狭持片３０Ａ、３０Ｂの内部に配置された刃本体（刃）３２と、で構成されている。一方の狭持片３０Ｂの先端は、その長手方向に沿って山部と谷部とが交互に形成されている。また、刃本体３２の先端（刃先）は、狭持片３０Ａ、３０Ｂの山部と谷部との間に位置している。このように、取付刃２８は、支持プレート２４Ａ、２４Ｂの内部をスライドしてヘッド部２２に装着される。
この狭持片３０Ａ、３０Ｂは、図９に示すように整髪部の山部の曲線（点線）を刃本体３２の刃先の線で直線的に切断したような切断形状にすることもできる。このようにすると、髪の毛がこの曲線にそって流れて狭持片３０Ａ、３０Ｂと取付刃２８の間に挟まって、引き連れたりして利用者に不快感を与える虞がなく、安全スムーズなカットが可能になる。
さらに、支持プレート２４Ａ、２４Ｂの近傍には、支持プレート２４Ａ、２４Ｂの長手方向（図３及び図４中矢印Ａ方向）側にスライド可能に設けられた押出片（押出手段）３４が設けられている。押出片３４をスライドさせることにより、支持プレート２４Ａ、２４Ｂの内部に挿入されている取付刃２８が支持プレート２４Ａ、２４Ｂの外部に押し出される。
【００５５】
また、ヘッド部２２の内部には、支持プレート２４Ａ、２４Ｂに接続された電熱線（図示省略、発熱部）が収納されている。また、把持部１２にはスイッチ（制御部）３６が設けられており、スイッチ３６をＯＮにすることにより電熱線が発熱し、ＯＦＦにすると発熱が停止するようになっている。
【００５６】
次に、本実施の形態のヘアーカッター１０の作用及び効果について説明する。
【００５７】
ヘアーカッター１０を使用する際には、支持プレート２４Ａ、２４Ｂの間に取付刃２８を挿入する。挿入された状態では、取付刃２８を構成する狭持片３０Ａ、３０Ｂが支持プレート２４Ａ、２４Ｂと接触している。取付刃２８の挿入後、スイッチ３６をＯＮにすると、電熱線が発熱する。電熱線が発熱すると、電熱線と接続している支持プレート２４Ａ、２４Ｂに熱が伝わり、支持プレート２４Ａ、２４Ｂが加熱される。支持プレート２４Ａ、２４Ｂが加熱されると、支持プレート２４Ａ、２４Ｂと接触している狭持片３０Ａ、３０Ｂが加熱され、狭持片３０Ａ、３０Ｂの内部に配置されている刃本体３２も加熱される。これにより、刃本体３２は、例えば２００℃に加熱される。
なお、刃本体３２の温度は、２００℃に限定されるものではなく、１００℃以上３００℃以下の範囲、特に好ましくは１３０℃以上２２０℃以下の範囲であればよい。すなわち、刃本体３２の温度が３００℃より高いと髪のキューティクルを傷つけてしまうため不適当であり、１００℃より低いと加熱の効果が殆どなく不適当であるため、１００℃以上３００℃以下の範囲に、特に好ましくは１３０℃以上２２０℃以下の範囲になるよう設定する。
【００５８】
刃本体３２が加熱されると、調髪を開始できる。このとき、髪はヘアーカッター１０の刃本体３２で切断されていくが、刃本体３２が加熱されて刃の温度が２００℃程度になっているため、毛髪の切断時にキューティクルを傷つけてしまうことを防止できる。この結果、髪がパサつくことがなく、艶を失うことなく、櫛通りが滑らかになる。
【００５９】
また、髪の調髪時には、髪の一部が谷部に入り刃本体３２により切断されるが、髪の一部は山部により押し退けられ刃本体３２に接触せず切断されることがない。このため、髪の切断面が揃うことがなく、ヘアスタイルを自然な感じに仕上げることができる。
【００６０】
なお、調髪の終了後には、スイッチ３６をＯＦＦにし、押出片３４をスライドさせることにより、取付刃２８を支持プレート２４Ａ、２４Ｂの内部から外部（抜け出る方向）に押し出すことができる。これにより、取付刃２８を容易に支持プレート２４Ａ、２４Ｂの間から引き抜くことができる。また、ヘアーカッター１０の不使用時には、壁に備え付けられている引掛部（図示省略）を開口部１８に通してヘアーカッター１０を引っ掛けておくことができる。
【００６１】
次に、上記実施の形態のヘアーカッター１０の変形例について説明する。
【００６２】
上記実施の形態のヘアーカッター１０は、把持部１２とヘッド部２２が一体形成されている構成を例にとり説明したが、これに限られることはなく、例えば、把持部１２に回転軸（図示省略）を設け、ヘッド部２２が回転軸の軸回りに回転可能となる構成にし、ヘアーカッター１０の不使用時には、ヘッド部２２を把持部側に回転させるようにしても良い。これにより、ヘアーカッター１０をコンパクトなサイズに折り畳むことができ、不使用時に刃先からの安全を保つことができるとともに、大きな収納スペースが不要になる。また、ヘアーカッター１０をコンパクトなサイズにすることにより持ち運びし易くなる。
【００６３】
また、上記実施の形態のヘアーカッター１０は、コード部２０が把持部１２に固定されている構成を例にとり説明したが、これに限られることはなく、例えば、把持部１２に軸受け部（図示省略）を設け、コード部２０がこの軸受け部に回転可能に支持される構成にしてもよい。このようにすれば、ヘアーカッター１０の使用時において、把持部１２を回転させた場合でもコード部２０がねじれてしまうことがなく、ヘアーカッター１０が使い易くなる。
【００６４】
また、上記実施の形態のヘアーカッター１０は、一枚の取付刃２８が設けられた構成を例にとり説明したが、これに限られることはなく、例えば、複数の取付刃をヘッド部２２の厚み方向（図２及び図５中矢印Ｂ方向）に沿ってそれぞれ平行に設けてもよい。２枚の取付刃２８及び２９が設けられた場合の例を図８に示す。このとき、各取付刃２８、２９の刃本体３２、３３のベースから刃先までの高さを異ならせることにより、ヘアーカッター１０により切断する髪の長さにバリエーションを持たせることができ、自然なヘアスタイルに仕上げることができる。
【００６５】
さらに上記実施の形態のヘアーカッター１０に加振手段を設け、刃部の刃本体３２に振動を与えるようにすることもできる。図１０にこのような例のヘアーカッター１０の正面図を示す。このヘアーカッター１０には図示しないたとえば圧電素子などで構成される加振手段が設けられており、スイッチ３６によって、ヘアーカッター１０の制御を、発熱部と加振手段を共にオンする場合、発熱部のみをオンする場合、発熱部と加振手段を共にオフする場合に切り分けることができる。
【００６６】
この実施の形態では、加振部の働きにより、ヘアーカッター１０の刃部の刃本体３２に刃本体３２の長さ方向又は長さ方向に対して垂直な方向に振動を与えることができる。振動を与えると、理容師や美容師の調髪技術が例え劣っていても、毛髪の切断面が引きちぎられるように粗くなることを防止でき、刃本体３２の加熱と共に、切断面を滑らかにし、キューティクルを保護することになるので、毛髪がパサついたり、艶がなくなったりすることがない。
【００６７】
また、上記実施の形態のヘアーカッター１０に刃先の温度を表示する表示手段（図示省略）を設けることもできる。表示手段は例えばＬＥＤランプなどで構成し、刃先が適温である間は点灯し、温度が下がった場合には消灯するようにする。これにより、温度が低い場合にはヘアーカッター１０を使用しないようにでき、温度が低いときにカットすることで毛髪を痛める０それがなくなる。刃先が高温になりすぎたときはそれを示す別の表示手段を設けても良い。
【００６８】
また、支持プレート２４Ａ、２４Ｂの先端部近傍にストッパ（図示省略、抜け防止手段）を設けてもよい。このストッパは、ヘッド部２２にスライド可能に設けられており、スライドすることにより各支持プレート２４Ａ、２４Ｂ間の隙間を塞ぐように設けられている。これにより、支持プレート２４Ａ、２４Ｂの間に挿入された取付刃２８は、ストッパにより支持プレート２４Ａ、２４Ｂ間の隙間が塞がれているので、支持プレート２４Ａ、２４Ｂから抜け落ちることがない。
【００６９】
さらに、上記実施の形態のヘアーカッター１０の把持部１２にある凹部側１４と凸部側１６の位置を逆にして、把持部１２を逆側に湾曲させるようにしてもよい。これにより、使用者の趣味に合わせてヘアーカッター１０を使い易くすることができる。
【図面の簡単な説明】
【００７０】
【図１】本発明のヘアーカッターの使用状態を示した図である。
【図２】本発明のヘアーカッターの平面図である。
【図３】本発明のヘアーカッターの正面図である。
【図４】本発明のヘアーカッターの背面図である。
【図５】本発明のヘアーカッターの底面図である。
【図６】本発明のヘアーカッターの左側面図である。
【図７】本発明のヘアーカッターの右側面図である。
【図８】本発明のヘアーカッターの他の実施の形態の背面図である。
【図９】本発明のヘアーカッターの整髪部の拡大図である。
【図１０】本発明のさらに他のヘアーカッターの正面図である。
【符号の説明】
【００７１】
１０              ヘアーカッター
１２              把持部
１４              凹部側
１６              凸部側
１８              開口部
２０              コード部（電圧印加部）
２２              ヘッド部
２４Ａ、２４Ｂ    支持プレート
２５Ａ、２５Ｂ    支持プレート
２６Ａ、２６Ｂ    押圧部
２８              取付刃
２９              取付刃
３０Ａ、３０Ｂ    狭持片（整髪部）
３１Ａ、３１Ｂ    狭持片（整髪部）
３２              刃本体（刃）
３３              刃本体（刃）
３４              押出片（押出手段）
３６              スイッチ（制御部）
【図１】
2005270616.tif 000003
【図２】
2005270616.tif 000004
【図３】
2005270616.tif 000005
【図４】
2005270616.tif 000006
【図５】
2005270616.tif 000007
【図６】
2005270616.tif 000008
【図７】
2005270616.tif 000009
【図８】
2005270616.tif 000010
【図９】
2005270616.tif 000011
【図１０】
2005270616.tif 000012
【手続補正書】
【提出日】平成16年9月21日(2004.9.21)
【手続補正１】
【補正対象書類名】特許請求の範囲
【補正対象項目名】全文
【補正方法】変更
【補正の内容】
【特許請求の範囲】
【請求項１】
頭髪の調髪用のヘアーカッターにおいて、
把持部と、この把持部の先端に設けられる刃部と、この刃部を加熱する加熱手段と、この加熱手段によって加熱された前記刃部の温度が適温温度範囲にあることを表示する適温表示手段とを有し、前記刃部は一対の支持プレートと、この支持プレート間に挿入された取付刃とからなることを特徴とするヘアーカッター。
【請求項２】
頭髪の調髪用のヘアーカッターにおいて、
把持部と、この把持部の先端に設けられる刃部と、この刃部を加熱する加熱手段と、この加熱手段によって加熱された前記刃部の温度が適温温度範囲にあることを表示する適温表示手段と、前記刃部に振動を与える加振手段と、前記加熱手段および前記加振手段の動作を夫々制御するスイッチ手段とを有し、前記刃部は一対の支持プレートと、この支持プレート間に挿入された取付刃とからなることを特徴とするヘアーカッター。
【請求項３】
頭髪の調髪用のヘアーカッターにおいて、
把持部と、この把持部の先端に設けられる刃部と、この刃部を加熱する加熱手段とを有し、
前記刃部は一対の支持プレートと、この支持プレート間に挿入された取付刃とからなり、
前記取付刃は一対の挟持片とこの挟持片に挟まれた刃本体からなり、
前記挟持片の一方には前記刃本体の刃先の長さ方向に沿って山部と谷部が交互に形成され、この山部は前記刃本体の刃先の位置で前記刃先にそって直線的に切断されており、前記挟持片の他方は前記刃本体の刃先まで達していないことを特徴とするヘアーカッター。
【請求項４】
前記加熱手段によって加熱される前記刃本体の適温温度範囲は１００℃以上３００℃以下、好ましくは１３０℃以上２２０℃以下であることを特徴とする請求項１乃至請求項３のいずれか１項に記載のヘアーカッター。
【請求項５】
前記加熱手段は、前記刃部に接続された発熱部と、前記発熱部の発熱を制御する制御部と、電源と接続されて前記制御部に前記電源からの電圧を印加するコード状の電圧印加部とを有することを特徴とする請求項１乃至請求項４のいずれか１項に記載のヘアーカッター。
【請求項６】
前記加振手段による振動の方向は前記刃部の刃本体の長さ方向であることを特徴とする請求項２に記載のヘアーカッター。
【請求項７】
前記加振手段による振動の方向は前記刃部の刃本体の長さ方向に対して垂直な方向であることを特徴とする請求項２に記載のヘアーカッター。
【請求項８】
前記刃部は所定の間隔を置いて略平行に設けられた複数枚の前記取付刃で構成されていることを特徴とする請求項１乃至請求項７のいずれか１項に記載のヘアーカッター。
【請求項９】
前記把持部には回転軸を介してヘッド部が設けられ、
前記刃部は前記ヘッド部に取り付けられており、前記刃部は前記ヘッド部が前記回転軸の軸回りに回転することによって前記把持部に設けられた保護溝内に収納されることを特徴とする請求項１乃至請求項８のいずれか１項に記載のヘアーカッター。
【請求項１０】
前記取付刃は、前記刃部に着脱可能に設けられていることを特徴とする請求項１乃至請求項９のいずれか１項に記載のヘアーカッター。
【請求項１１】
前記取付刃の前記刃部からの抜けを防止する抜け防止手段が設けられていることを特徴とする請求項１０に記載のヘアーカッター。
【請求項１２】
前記取付刃が前記刃部から抜け出る方向に前記取付刃を押し出す押出手段が設けられていることを特徴とする請求項１乃至請求項１１のいずれか１項に記載のヘアーカッター。
【請求項１３】
前記把持部は、手になじむように湾曲していることを特徴とする請求項１乃至請求項１２のいずれか１項に記載のヘアーカッター。
【手続補正２】
【補正対象書類名】明細書
【補正対象項目名】全文
【補正方法】変更
【補正の内容】
【発明の詳細な説明】
【技術分野】
【０００１】
本発明は、頭髪の調髪などに用いるヘアーカッターに関する。
【背景技術】
【０００２】
従来から理容店等において、ヘアーカッターにより髪を調髪することが知られている。ヘアーカッターによる調髪は、理容師、美容師の技術によって、質感、量感、立体感を生み出すことができるため、調髪に不自然さがなく、おしゃれなスタイルを作り上げることができる。しかし、ヘアーカッターで調髪を仕上げるためには、それなりの技術と腕の力が必要である。調髪技術がうまくなかったり、刃先が切れなかったり、毛髪を切断する力が足りなかったりすると、毛髪の切断面が粗く、引きちぎられたようになり、これによって毛髪のキューティクルを傷つけてしまうと、毛髪がパサついたり、艶がなくなったり、櫛通りが悪くなるなどの原因になっていた。
【０００３】
なお、従来技術として現在報告されているヘアーカッターとしては、替刃ホルダーに２以上の替刃、替櫛を相互に上下にずらして段階的に備えたもの（特許文献１参照。）、刃に振動を与えるようにしたもの（特許文献２参照。）などがあるが、このような問題に必ずしも十分に対処できているとはいえない。
【特許文献１】特開２００２−１５９７６７号公報
【特許文献２】特開２００２−１７２２８０号公報
【発明の開示】
【発明が解決しようとする課題】
【０００４】
上述のように、ヘアーカッターによる髪の調髪は、調髪技術がうまくなかったり、刃先が切れなかったりすると、毛髪のキューティクルを傷つけてしまい、調髪後において髪がパサついたり、艶がなくなったり、櫛通りが悪くなるといった問題があった。
【０００５】
そこで、本発明は、上記事情を考慮し、調髪により毛髪のキューティクルが傷つくことを防止することができるヘアーカッターを提供することを目的とする。
【課題を解決するための手段】
【０００６】
請求項１に記載の発明は、頭髪の調髪用のヘアーカッターにおいて、把持部と、この把持部の先端に設けられる刃部と、この刃部を加熱する加熱手段と、この加熱手段によって加熱された前記刃部の温度が適温温度範囲にあることを表示する適温表示手段とを有し、前記刃部は一対の支持プレートと、この支持プレート間に挿入された取付刃とからなることを特徴とする。
【０００７】
請求項１に記載の発明によれば、把持部を持ち加熱手段により加熱された刃本体で髪を切ることにより、刃本体による切断でキューティクルに傷が付いてしまうことを防止できる。この結果、ヘアーカッターの刃で髪を切っても、髪がパサつくことがなく、艶がなくなることがなく、櫛通りも良くなる。また、適温表示手段が刃部が適温であることを示すので、刃部の温度が低すぎたり、逆に熱すぎたりして、髪のキューティクルを痛めるようなことがない。
【０００８】
請求項２に記載の発明は、頭髪の調髪用のヘアーカッターにおいて、把持部と、この把持部の先端に設けられる刃部と、この刃部を加熱する加熱手段と、この加熱手段によって加熱された前記刃部の温度が適温温度範囲にあることを表示する適温表示手段と、前記刃部に振動を与える加振手段と、前記加熱手段および前記加振手段の動作を夫々制御するスイッチ手段とを有し、前記刃部は一対の支持プレートと、この支持プレート間に挿入された取付刃とからなることを特徴とする。
【０００９】
請求項２に記載の発明によれば、把持部を持ち加熱手段により加熱され加振手段で振動された刃部で髪を切ることにより、キューティクルに傷が付くことを防止でき、容易に毛髪を切断することができる。この結果、ヘアーカッターの刃で髪を切っても、髪がパサつくことがなく、艶がなくなることがなく、櫛通りも良くなる。また、適温表示手段が刃部が適温であることを示すので、刃部の温度が低すぎたり、逆に熱すぎたりして、髪のキューティクルを痛めるようなことがない。
【００１０】
請求項３に記載の発明は、頭髪の調髪用のヘアーカッターにおいて、把持部と、この把持部の先端に設けられる刃部と、この刃部を加熱する加熱手段とを有し、前記刃部は一対の支持プレートと、この支持プレート間に挿入された取付刃とからなり、前記取付刃は一対の挟持片とこの挟持片に挟まれた刃本体からなり、前記挟持片の一方には前記刃本体の刃先の長さ方向に沿って山部と谷部が交互に形成され、この山部は前記刃本体の刃先の位置で前記刃先にそって直線的に切断されており、前記挟持片の他方は前記刃本体の刃先まで達していないことを特徴とする。
【００１１】
請求項３に記載の発明によれば、把持部を持ち加熱手段により加熱された刃で髪を切ることにより、刃による切断の際にキューティクルに傷が付いてしまうことを防止できる。この結果、ヘアーカッターの刃で髪を切っても、髪がパサつくことがなく、艶がなくなることがなく、櫛通りも良くなる。また、挟持片の山部の先端が刃先の位置で刃先に沿って切断されているため、髪の毛が挟持片と取付刃の間に挟まったり引き連れたりすることがなく、安全にスムーズに毛髪の切断ができる。
【００１２】
請求項４に記載の発明は、請求項１乃至請求項３のいずれか１項に記載のヘアーカッターにおいて、前記加熱手段によって加熱される前記刃本体の適温温度範囲は１００℃以上３００℃以下、好ましくは１３０℃以上２２０℃以下であることを特徴とする。
【００１３】
請求項４に記載の発明によれば、ヘアーカッターの刃本体の温度を１００℃以上３００℃以下、好ましくは１３０℃以上２２０℃以下とすることにより、髪のキューティクルに傷を付けず調髪することができる。
刃本体の温度が１００℃未満であると、加熱の効果があまりなく不適当である。
また、刃本体の温度が３００℃より高いと、高熱によりキューティクルを傷つけてしまうため不適当である。
【００１４】
請求項５に記載の発明は、請求項１乃至請求項４のいずれか１項に記載のヘアーカッターにおいて、前記加熱手段は、前記刃部に接続された発熱部と、前記発熱部の発熱を制御する制御部と、電源と接続されて前記制御部に前記電源からの電圧を印加するコード状の電圧印加部とを有することを特徴とする。
【００１５】
請求項５に記載の発明によれば、電圧印加部により電圧が制御部に印加され、制御部によって発熱部の発熱が制御される。発熱部の発熱により発熱部と接続されている刃部が加熱される。これにより、制御部で刃の温度を制御することができる。
【００１６】
請求項６に記載の発明は、請求項２に記載のヘアーカッターにおいて、前記加振手段による振動の方向は、前記刃部の刃本体の長さ方向であることを特徴とする。
【００１７】
請求項６に記載の発明によれば、毛髪に対して垂直な方向への微細振動を与えながら毛髪を切断することができ、毛髪を傷つけることなく容易に切断することができる。
【００１８】
請求項７に記載の発明は、請求項２に記載のヘアーカッターにおいて、前記加振手段による振動の方向は、前記刃部の刃本体の長さ方向に対して垂直な方向であることを特徴とする。
【００１９】
請求項７に記載の発明によれば、毛髪の長さ方向への微細振動を与えながら毛髪を切断することができ、毛髪が引きつられるようなことがなく、毛髪を傷つけることなく切断することができる。
【００２０】
請求項８に記載の発明は、請求項１乃至請求項７のいずれか１項に記載のヘアーカッターにおいて、前記刃部は所定の間隔を置いて略平行に設けられた複数枚の前記取付刃で構成されていることを特徴とする。
【００２１】
請求項８に記載の発明によれば、刃部を所定の間隔を置いて略平行に設けられた複数枚の取付刃で構成したので、ヘアーカッターにより切断する髪の長さにバリエーションを持たせることができる。このため、自然なヘアスタイルに仕上げることができる。
【００２２】
請求項９に記載の発明は、請求項１乃至請求項８のいずれか１項に記載のヘアーカッターにおいて、前記把持部には回転軸を介してヘッド部が設けられ、前記刃部は前記ヘッド部に取り付けられており、前記刃部は前記ヘッド部が前記回転軸の軸回りに回転することによって前記把持部に設けられた保護溝内に収納されることを特徴とする。
【００２３】
請求項９に記載の発明によれば、取付刃が取り付けられる刃部を有するヘッド部は、回転軸の軸回りに回転する。これにより、ヘッド部を把持部側に折り曲げることができ、ヘアーカッターの不使用時には、ヘッド部を折り曲げ、刃部を畳んで把持部に設けられた保護溝内に収納することができる。
【００２４】
請求項１０に記載の発明は、請求項１乃至請求項９のいずれか１項に記載のヘアーカッターにおいて、前記取付刃は、前記刃部に着脱可能に設けられていることを特徴とする。
【００２５】
請求項１０に記載の発明によれば、取付刃が刃部に着脱可能に設けられているため、刃本体の切れ味が衰えたり、刃本体が破損等した場合には、別の新しい取付刃に容易に取り換えることができる。
【００２６】
請求項１１に記載の発明は、請求項１乃至請求項１０のいずれか１項に記載のヘアーカッターにおいて、前記取付刃の前記刃部からの抜けを防止する抜け防止手段が設けられていることを特徴とする。
【００２７】
請求項１１に記載の発明によれば、抜け防止手段を設けたことにより、取付刃の刃部からの抜けを防止することができる。このため、調髪作業を円滑かつ効率良く行うことができる。
【００２８】
請求項１２に記載の発明は、請求項１乃至請求項１１のいずれか１項に記載のヘアーカッターにおいて、前記取付刃が前記刃部から抜け出る方向に前記取付刃を押し出す押出手段が設けられていることを特徴とする。
【００２９】
請求項１２に記載の発明によれば、押出手段により取付刃がヘッド部から抜け出る方向に押し出されるため、ヘッド部からの取付刃の取り外しが容易になる。
【００３０】
請求項１３に記載の発明は、請求項１乃至請求項１２のいずれか１項に記載のヘアーカッターにおいて、前記把持部は、手になじむように湾曲していることを特徴とする。
【００３１】
請求項１３に記載の発明によれば、把持部が手になじむように湾曲しているため、把持部を握り易くすることができる。
【発明の効果】
【００３２】
請求項１に記載の発明は、把持部を持ち加熱手段により加熱された刃本体で毛髪を切ることにより、毛髪の切断が容易にでき、切断面が引きちぎったようにならず、刃本体による切断でキューティクルに傷が付いてしまうことを防止できる。この結果、ヘアーカッターの刃で髪を切っても、髪がパサついたり、色艶が悪くなったりすることがなく、櫛通りも良くなる。また、刃部が適温であることが表示手段で表示されるので、温度が低すぎて加熱の効果がなかったり、高すぎて毛髪のキューティクルを痛めることがなく、好ましい温度で調髪することができる。
【００３３】
請求項２に記載の発明は、把持部を持ち加熱手段により加熱され且つ加振手段によって振動される刃本体で毛髪を切ることにより、毛髪の切断が滑らかに容易にでき、切断面が引きちぎったようにならず、この刃本体による切断でキューティクルに傷が付いてしまうことを防止できる。この結果、ヘアーカッターの刃本体で髪を切っても、髪がパサついたり、色艶が悪くなったりすることがなく、櫛通りも良くなる。また、刃部が適温であることが表示手段で表示されるので、温度が低すぎて加熱の効果がなかったり、高すぎて毛髪のキューティクルを痛めることがなく、好ましい温度で調髪でき、さらに、加熱手段及び加振手段をそれぞれ独立に接断できるので、刃部の温度や毛髪の条件に合わせて加熱や加振を選択することができる。
【００３４】
請求項３に記載の発明は、加熱された刃本体で髪を切ることにより、刃本体による切断の際にキューティクルに傷が付いてしまうことを防止できる。この結果、ヘアーカッターの刃本体で髪を切っても、髪がパサつくことがなく、艶がなくなることがなく、櫛通りも良くなる。また、刃本体を挟む挟持片の一方に山部と谷部が設けられていて、山部の先端が刃先の位置で刃先に沿って切断されているため、髪の毛が挟持片と取付刃の間に挟まったり引き連れたりすることがなく、安全にスムーズに毛髪の切断ができる。
【００３５】
請求項４に記載の発明は、ヘアーカッターの刃本体の温度を１００℃以上３００℃以下、好ましくは１３０℃以上２２０℃以下とすることにより、髪のキューティクルに傷を付けず調髪することができる。
【００３６】
請求項５に記載の発明は、電圧印加部により電圧が制御部に印加され、制御部によって発熱部の発熱が制御される。発熱部の発熱により発熱部と接続されている取付刃が加熱される。これにより、制御部で刃本体の温度を制御することができる。
【００３７】
請求項６に記載の発明は、加振手段により、刃本体にその長さ方向の振動が加わり、毛髪が容易に切断されるので、理容師、美容師の技術に関係なく、毛髪に負担を与えず切断することができ、ヘアーカッターの刃本体で髪を切っても、毛髪が痛まず、髪がパサついたり、色艶が悪くなったりすることがなく、櫛通りも良くなる。
【００３８】
請求項７に記載の発明は、加振手段により、刃本体を左右に振る振動が刃本体に加わり、刃本体が毛髪の長さ方向に振動して毛髪に負担を与えず切断することができ、ヘアーカッターの刃本体で髪を切っても、毛髪が痛まず、髪がパサついたり、色艶が悪くなったりすることがなく、櫛通りも良くなる。
【００３９】
請求項８に記載の発明は、刃部を略平行に所定の間隔を置いて設けられた複数枚の取付刃とすることにより、ヘアーカッターにより切断する髪の長さにバリエーションを持たせることができる。このため、自然なヘアスタイルに仕上げることができる。
【００４０】
請求項９に記載の発明は、取付刃が取り付けられる刃部を有するヘッド部は、回転軸の軸回りに回転する。これにより、ヘッド部を把持部側に折り曲げることができ、ヘアーカッターの不使用時には、ヘッド部を折り曲げ、刃部を畳んで把持部に設けられた保護溝内に収納することができる。
【００４１】
請求項１０に記載の発明は、取付刃が刃部に着脱可能に設けられているため、刃本体が切れなくなったり、刃本体が破損した場合などには、別の新しい取付刃に容易に取り換えることができる。
【００４２】
請求項１１に記載の発明は、抜け防止手段を設けたことにより、取付刃の刃部からの抜けを防止することができる。このため、調髪作業を円滑かつ効率良く行うことができる。
【００４３】
請求項１２に記載の発明は、押出手段により取付刃がヘッド部から抜け出る方向に押し出されるため、ヘッド部からの取付刃の取り外しが容易になる。
【００４４】
請求項１３に記載の発明は、把持部が湾曲しているため、把持部を握り易くすることができる。
【発明を実施するための最良の形態】
【００４５】
次に、本発明のヘアーカッターの実施の形態について、図面を参照して説明する。
【００４６】
図１に本発明のヘアーカッターの一実施の形態の使用状態を、図２にその平面図を、図３にその正面図を、図４にその背面図を、図５にその底面図を、図６にその左側側面図を、図７にその右側側面図を示す。また図８に本発明のヘアーカッターの他の実施の形態の背面図を、さらに図１０に本発明のヘアーカッターのさらに他の実施の形態の正面図を示した。
図１乃至図７に示すように、第１の実施の形態のヘアーカッター１０は、把持部１２を備えている。この把持部１２は、全体として湾曲状に形成されており、凹部側１４と凸部側１６を有している。把持部１２の後端部近傍には使用時に小指を掛けるための開口部１８が形成されている。また、把持部１２の後端部には先端にコネクタ（図示省略）を備えたコード部（電圧印加部）２０が接続されている。このコネクタは、外部に設置されている電源に接続される。
【００４７】
また、把持部１２の先端部には、ヘッド部２２が設けられている。このヘッド部２２は、把持部１２と一体形成されている。また、ヘッド部２２と把持部１２との境界には、使用時に親指と人差し指とを位置させる押圧部２６Ａ、２６Ｂが形成されている。この押圧部２６Ａ、２６Ｂの表面は滑らかに湾曲している。このように、ヘアーカッター１０の使用時には、押圧部２６Ａ、２６Ｂに親指と人差し指とをそれぞれ位置させ、小指を開口部１８に引っ掛けることにより、ヘアーカッター１０を容易に操作することができる。また、把持部１２が湾曲しているため、把持部１２の凹部側１４に中指と薬指を載せることにより、ヘアーカッター１０を安定して支持することができるとともにヘアーカッター１０の操作性をさらに向上させることができる。
【００４８】
また、ヘッド部２２には、刃部を構成する一対の金属性の支持プレート２４Ａ、２４Ｂが設けられている。この支持プレート２４Ａ、２４Ｂの間には取付刃２８が挿入されている。この取付刃２８は、一対の金属性の狭持片（整髪部）３０Ａ、３０Ｂと、狭持片３０Ａ、３０Ｂの内部に配置された刃本体（刃）３２と、で構成されている。一方の狭持片３０Ｂの先端は、その長手方向に沿って山部と谷部とが交互に形成されている。また、刃本体３２の先端（刃先）は、狭持片３０Ａ、３０Ｂの山部と谷部との間に位置している。このように、取付刃２８は、支持プレート２４Ａ、２４Ｂの内部をスライドしてヘッド部２２に装着される。
この狭持片３０Ａ、３０Ｂは、図９に示すように整髪部の山部の曲線（点線）を刃本体３２の刃先の線で直線的に切断したような切断形状にすることもできる。このようにすると、髪の毛がこの曲線にそって流れて狭持片３０Ａ、３０Ｂと取付刃２８の間に挟まって、引き連れたりして利用者に不快感を与える虞がなく、安全スムーズなカットが可能になる。
さらに、支持プレート２４Ａ、２４Ｂの近傍には、支持プレート２４Ａ、２４Ｂの長手方向（図３及び図４中矢印Ａ方向）側にスライド可能に設けられた押出片（押出手段）３４が設けられている。押出片３４をスライドさせることにより、支持プレート２４Ａ、２４Ｂの内部に挿入されている取付刃２８が支持プレート２４Ａ、２４Ｂの外部に押し出される。
【００４９】
また、ヘッド部２２の内部には、支持プレート２４Ａ、２４Ｂに接続された電熱線（図示省略、発熱部）が収納されている。また、把持部１２にはスイッチ（制御部）３６が設けられており、スイッチ３６をＯＮにすることにより電熱線が発熱し、ＯＦＦにすると発熱が停止するようになっている。
【００５０】
次に、本実施の形態のヘアーカッター１０の作用及び効果について説明する。
【００５１】
ヘアーカッター１０を使用する際には、支持プレート２４Ａ、２４Ｂの間に取付刃２８を挿入する。挿入された状態では、取付刃２８を構成する狭持片３０Ａ、３０Ｂが支持プレート２４Ａ、２４Ｂと接触している。取付刃２８の挿入後、スイッチ３６をＯＮにすると、電熱線が発熱する。電熱線が発熱すると、電熱線と接続している支持プレート２４Ａ、２４Ｂに熱が伝わり、支持プレート２４Ａ、２４Ｂが加熱される。支持プレート２４Ａ、２４Ｂが加熱されると、支持プレート２４Ａ、２４Ｂと接触している狭持片３０Ａ、３０Ｂが加熱され、狭持片３０Ａ、３０Ｂの内部に配置されている刃本体３２も加熱される。これにより、刃本体３２は、例えば２００℃に加熱される。
なお、刃本体３２の温度は、２００℃に限定されるものではなく、１００℃以上３００℃以下の範囲、好ましくは１３０℃以上２２０℃以下の範囲であればよい。すなわち、刃本体３２の温度が３００℃より高いと髪のキューティクルを傷つけてしまうため不適当であり、１００℃より低いと加熱の効果が殆どなく不適当であるため、１００℃以上３００℃以下の範囲に、好ましくは１３０℃以上２２０℃以下の範囲になるよう設定する。
【００５２】
刃本体３２が加熱されると、調髪を開始できる。このとき、髪はヘアーカッター１０の刃本体３２で切断されていくが、刃本体３２が加熱されて刃の温度が２００℃程度になっているため、毛髪の切断時にキューティクルを傷つけてしまうことを防止できる。この結果、髪がパサつくことがなく、艶を失うことなく、櫛通りが滑らかになる。
【００５３】
また、髪の調髪時には、髪の一部が谷部に入り刃本体３２により切断されるが、髪の一部は山部により押し退けられ刃本体３２に接触せず切断されることがない。このため、髪の切断面が揃うことがなく、ヘアスタイルを自然な感じに仕上げることができる。
【００５４】
なお、調髪の終了後には、スイッチ３６をＯＦＦにし、押出片３４をスライドさせることにより、取付刃２８を支持プレート２４Ａ、２４Ｂの内部から外部（抜け出る方向）に押し出すことができる。これにより、取付刃２８を容易に支持プレート２４Ａ、２４Ｂの間から引き抜くことができる。また、ヘアーカッター１０の不使用時には、壁に備え付けられている引掛部（図示省略）を開口部１８に通してヘアーカッター１０を引っ掛けておくことができる。
【００５５】
次に、上記実施の形態のヘアーカッター１０の変形例について説明する。
【００５６】
上記実施の形態のヘアーカッター１０は、把持部１２とヘッド部２２が一体形成されている構成を例にとり説明したが、これに限られることはなく、例えば、把持部１２に回転軸（図示省略）を設け、ヘッド部２２が回転軸の軸回りに回転可能となる構成にし、ヘアーカッター１０の不使用時には、ヘッド部２２を把持部側に回転させるようにしても良い。これにより、ヘアーカッター１０をコンパクトなサイズに折り畳むことができ、不使用時に刃先からの安全を保つことができるとともに、大きな収納スペースが不要になる。また、ヘアーカッター１０をコンパクトなサイズにすることにより持ち運びし易くなる。
【００５７】
また、上記実施の形態のヘアーカッター１０は、コード部２０が把持部１２に固定されている構成を例にとり説明したが、これに限られることはなく、例えば、把持部１２に軸受け部（図示省略）を設け、コード部２０がこの軸受け部に回転可能に支持される構成にしてもよい。このようにすれば、ヘアーカッター１０の使用時において、把持部１２を回転させた場合でもコード部２０がねじれてしまうことがなく、ヘアーカッター１０が使い易くなる。
【００５８】
また、上記実施の形態のヘアーカッター１０は、一枚の取付刃２８が設けられた構成を例にとり説明したが、これに限られることはなく、例えば、複数の取付刃をヘッド部２２の厚み方向（図２及び図５中矢印Ｂ方向）に沿ってそれぞれ平行に設けてもよい。２枚の取付刃２８及び２９が設けられた場合の例を図８に示す。このとき、各取付刃２８、２９を所定の間隔を置いて設け、その刃本体３２、３３の刃先の位置を異ならせることにより、ヘアーカッター１０により切断する髪の長さにバリエーションを持たせることができ、自然なヘアスタイルに仕上げることができる。
【００５９】
さらに上記実施の形態のヘアーカッター１０に加振手段を設け、刃部の刃本体３２に振動を与えるようにすることもできる。図１０にこのような例のヘアーカッター１０の正面図を示す。このヘアーカッター１０には図示しないたとえば圧電素子などで構成される加振手段が設けられており、スイッチ３６によって、ヘアーカッター１０の制御を、発熱部と加振手段を共にオンする場合、発熱部のみをオンする場合、発熱部と加振手段を共にオフする場合に切り分けることができる。
【００６０】
この実施の形態では、加振部の働きにより、ヘアーカッター１０の刃部の刃本体３２に刃本体３２の長さ方向又は長さ方向に対して垂直な方向に振動を与えることができる。振動を与えると、理容師や美容師の調髪技術が例え劣っていても、毛髪の切断面が引きちぎられるように粗くなることを防止でき、刃本体３２の加熱と共に、切断面を滑らかにし、キューティクルを保護することになるので、毛髪がパサついたり、艶がなくなったりすることがない。
【００６１】
また、上記実施の形態のヘアーカッター１０に刃先の温度を表示する表示手段（図示省略）を設けることもできる。表示手段は例えばＬＥＤランプなどで構成し、刃先が適温である間は点灯し、温度が下がった場合には消灯するようにする。これにより、温度が低い場合にはヘアーカッター１０を使用しないようにでき、温度が低いときにカットすることで毛髪を痛める虞がなくなる。刃先が高温になりすぎたときはそれを示す別の表示手段を設けても良い。
【００６２】
また、支持プレート２４Ａ、２４Ｂの先端部近傍にストッパ（図示省略、抜け防止手段）を設けてもよい。このストッパは、ヘッド部２２にスライド可能に設けられており、スライドすることにより各支持プレート２４Ａ、２４Ｂ間の隙間を塞ぐように設けられている。これにより、支持プレート２４Ａ、２４Ｂの間に挿入された取付刃２８は、ストッパにより支持プレート２４Ａ、２４Ｂ間の隙間が塞がれているので、支持プレート２４Ａ、２４Ｂから抜け落ちることがない。
【００６３】
さらに、上記実施の形態のヘアーカッター１０の把持部１２にある凹部側１４と凸部側１６の位置を逆にして、把持部１２を逆側に湾曲させるようにしてもよい。これにより、使用者の趣味に合わせてヘアーカッター１０を使い易くすることができる。
【図面の簡単な説明】
【００６４】
【図１】本発明のヘアーカッターの使用状態を示した図である。
【図２】本発明のヘアーカッターの平面図である。
【図３】本発明のヘアーカッターの正面図である。
【図４】本発明のヘアーカッターの背面図である。
【図５】本発明のヘアーカッターの底面図である。
【図６】本発明のヘアーカッターの左側面図である。
【図７】本発明のヘアーカッターの右側面図である。
【図８】本発明のヘアーカッターの他の実施の形態の背面図である。
【図９】本発明のヘアーカッターの整髪部の拡大図である。
【図１０】本発明のさらに他のヘアーカッターの正面図である。
【符号の説明】
【００６５】
１０              ヘアーカッター
１２              把持部
１４              凹部側
１６              凸部側
１８              開口部
２０              コード部（電圧印加部）
２２              ヘッド部
２４Ａ、２４Ｂ    支持プレート
２５Ａ、２５Ｂ    支持プレート
２６Ａ、２６Ｂ    押圧部
２８              取付刃
２９              取付刃
３０Ａ、３０Ｂ    狭持片（整髪部）
３１Ａ、３１Ｂ    狭持片（整髪部）
３２              刃本体（刃）
３３              刃本体（刃）
３４              押出片（押出手段）
３６              スイッチ（制御部）
【手続補正書】
【提出日】平成17年3月31日(2005.3.31)
【手続補正１】
【補正対象書類名】特許請求の範囲
【補正対象項目名】全文
【補正方法】変更
【補正の内容】
【特許請求の範囲】
【請求項１】
頭髪の調髪用のヘアーカッターにおいて、
把持部と、この把持部の先端に設けられる刃部と、この刃部を加熱する加熱手段とを有し、
前記刃部は一対の支持プレートと、この支持プレート間に挿入された取付刃とからなり、
前記取付刃は一対の挟持片とこの挟持片に挟まれた刃本体からなり、
前記挟持片の一方には前記刃本体の刃先の長さ方向に沿って山部と谷部が交互に形成され、この山部は前記刃本体の刃先の位置で前記刃先にそって直線的に切断されており、前記挟持片の他方は前記刃本体の刃先まで達していないことを特徴とするヘアーカッター。
【手続補正２】
【補正対象書類名】明細書
【補正対象項目名】全文
【補正方法】変更
【補正の内容】
【発明の詳細な説明】
【技術分野】
【０００１】
本発明は、頭髪の調髪などに用いるヘアーカッターに関する。
【背景技術】
【０００２】
従来から理容店等において、ヘアーカッターにより髪を調髪することが知られている。ヘアーカッターによる調髪は、理容師、美容師の技術によって、質感、量感、立体感を生み出すことができるため、調髪に不自然さがなく、おしゃれなスタイルを作り上げることができる。しかし、ヘアーカッターで調髪を仕上げるためには、それなりの技術と腕の力が必要である。調髪技術がうまくなかったり、刃先が切れなかったり、毛髪を切断する力が足りなかったりすると、毛髪の切断面が粗く、引きちぎられたようになったり、あるいは、刃と刃の挟持片の間に毛髪が入って引き攣れたりし、これによって毛髪のキューティクルを傷つけてしまうと、毛髪がパサついたり、艶がなくなったり、櫛通りが悪くなるなどの原因になっていた。
【０００３】
なお、従来技術として現在報告されているヘアーカッターとしては、替刃ホルダーに２以上の替刃、替櫛を相互に上下にずらして段階的に備えたもの（特許文献１参照。）、刃に振動を与えるようにしたもの（特許文献２参照。）などがあるが、このような問題に必ずしも十分に対処できているとはいえない。
【特許文献１】特開２００２−１５９７６７号公報
【特許文献２】特開２００２−１７２２８０号公報
【発明の開示】
【発明が解決しようとする課題】
【０００４】
上述のように、ヘアーカッターによる髪の調髪は、調髪技術がうまくなかったり、刃先が切れなかったりすると、毛髪のキューティクルを傷つけてしまい、調髪後において髪がパサついたり、艶がなくなったり、櫛通りが悪くなるといった問題があった。
【０００５】
そこで、本発明は、上記事情を考慮し、調髪により毛髪のキューティクルが傷つくことを防止することができるヘアーカッターを提供することを目的とする。
【課題を解決するための手段】
【０００６】
請求項１に記載の発明は、頭髪の調髪用のヘアーカッターにおいて、把持部と、この把持部の先端に設けられる刃部と、この刃部を加熱する加熱手段とを有し、前記刃部は一対の支持プレートと、この支持プレート間に挿入された取付刃とからなり、前記取付刃は一対の挟持片とこの挟持片に挟まれた刃本体からなり、前記挟持片の一方には前記刃本体の刃先の長さ方向に沿って山部と谷部が交互に形成され、この山部は前記刃本体の刃先の位置で前記刃先にそって直線的に切断されており、前記挟持片の他方は前記刃本体の刃先まで達していないことを特徴とする。
【発明の効果】
【０００７】
請求項１に記載の発明によれば、刃本体を挟む挟持片の一方に山部と谷部が設けられていて、山部の先端が刃先の位置で刃先に沿って切断されていて、他方の前記挟持片は前記刃本体の刃先まで達していないため、髪の毛が挟持片と取付刃の間に挟まったり引き攣れたりすることがなく、安全にスムーズに毛髪の切断を行うことができる。
【発明を実施するための最良の形態】
【０００８】
次に、本発明のヘアーカッターの実施の形態について、図面を参照して説明する。
【０００９】
図１に本発明のヘアーカッターの一実施の形態の使用状態を、図２にその平面図を、図３にその正面図を、図４にその背面図を、図５にその底面図を、図６にその左側側面図を、図７にその右側側面図を示す。また図８に本発明のヘアーカッターの他の実施の形態の背面図を、さらに図１０に本発明のヘアーカッターのさらに他の実施の形態の正面図を示した。
図１乃至図７に示すように、第１の実施の形態のヘアーカッター１０は、把持部１２を備えている。この把持部１２は、全体として湾曲状に形成されており、凹部側１４と凸部側１６を有している。把持部１２の後端部近傍には使用時に小指を掛けるための開口部１８が形成されている。また、把持部１２の後端部には先端にコネクタ（図示省略）を備えたコード部（電圧印加部）２０が接続されている。このコネクタは、外部に設置されている電源に接続される。
【００１０】
また、把持部１２の先端部には、ヘッド部２２が設けられている。このヘッド部２２は、把持部１２と一体形成されている。また、ヘッド部２２と把持部１２との境界には、使用時に親指と人差し指とを位置させる押圧部２６Ａ、２６Ｂが形成されている。この押圧部２６Ａ、２６Ｂの表面は滑らかに湾曲している。このように、ヘアーカッター１０の使用時には、押圧部２６Ａ、２６Ｂに親指と人差し指とをそれぞれ位置させ、小指を開口部１８に引っ掛けることにより、ヘアーカッター１０を容易に操作することができる。また、把持部１２が湾曲しているため、把持部１２の凹部側１４に中指と薬指を載せることにより、ヘアーカッター１０を安定して支持することができるとともにヘアーカッター１０の操作性をさらに向上させることができる。
【００１１】
また、ヘッド部２２には、刃部を構成する一対の金属性の支持プレート２４Ａ、２４Ｂが設けられている。この支持プレート２４Ａ、２４Ｂの間には取付刃２８が挿入されている。この取付刃２８は、一対の金属性の狭持片（整髪部）３０Ａ、３０Ｂと、狭持片３０Ａ、３０Ｂの内部に配置された刃本体（刃）３２と、で構成されている。一方の狭持片３０Ｂの先端は、その長手方向に沿って山部と谷部とが交互に形成されている。また、刃本体３２の先端（刃先）は、狭持片３０Ａ、３０Ｂの山部と谷部との間に位置している。このように、取付刃２８は、支持プレート２４Ａ、２４Ｂの内部をスライドしてヘッド部２２に装着される。
この狭持片３０Ａ、３０Ｂは、図９に示すように整髪部の山部の曲線（点線）を刃本体３２の刃先の線で直線的に切断したような切断形状にすることもできる。このようにすると、髪の毛がこの曲線にそって流れて狭持片３０Ａ、３０Ｂと取付刃２８の間に挟まって、引き連れたりして利用者に不快感を与える虞がなく、安全スムーズなカットが可能になる。
さらに、支持プレート２４Ａ、２４Ｂの近傍には、支持プレート２４Ａ、２４Ｂの長手方向（図３及び図４中矢印Ａ方向）側にスライド可能に設けられた押出片（押出手段）３４が設けられている。押出片３４をスライドさせることにより、支持プレート２４Ａ、２４Ｂの内部に挿入されている取付刃２８が支持プレート２４Ａ、２４Ｂの外部に押し出される。
【００１２】
また、ヘッド部２２の内部には、支持プレート２４Ａ、２４Ｂに接続された電熱線（図示省略、発熱部）が収納されている。また、把持部１２にはスイッチ（制御部）３６が設けられており、スイッチ３６をＯＮにすることにより電熱線が発熱し、ＯＦＦにすると発熱が停止するようになっている。
【００１３】
次に、本実施の形態のヘアーカッター１０の作用及び効果について説明する。
【００１４】
ヘアーカッター１０を使用する際には、支持プレート２４Ａ、２４Ｂの間に取付刃２８を挿入する。挿入された状態では、取付刃２８を構成する狭持片３０Ａ、３０Ｂが支持プレート２４Ａ、２４Ｂと接触している。取付刃２８の挿入後、スイッチ３６をＯＮにすると、電熱線が発熱する。電熱線が発熱すると、電熱線と接続している支持プレート２４Ａ、２４Ｂに熱が伝わり、支持プレート２４Ａ、２４Ｂが加熱される。支持プレート２４Ａ、２４Ｂが加熱されると、支持プレート２４Ａ、２４Ｂと接触している狭持片３０Ａ、３０Ｂが加熱され、狭持片３０Ａ、３０Ｂの内部に配置されている刃本体３２も加熱される。これにより、刃本体３２は、例えば２００℃に加熱される。
なお、刃本体３２の温度は、２００℃に限定されるものではなく、１００℃以上３００℃以下の範囲、好ましくは１３０℃以上２２０℃以下の範囲であればよい。すなわち、刃本体３２の温度が３００℃より高いと髪のキューティクルを傷つけてしまうため不適当であり、１００℃より低いと加熱の効果が殆どなく不適当であるため、１００℃以上３００℃以下の範囲に、好ましくは１３０℃以上２２０℃以下の範囲になるよう設定する。
【００１５】
刃本体３２が加熱されると、調髪を開始できる。このとき、髪はヘアーカッター１０の刃本体３２で切断されていくが、刃本体３２が加熱されて刃の温度が２００℃程度になっているため、毛髪の切断時にキューティクルを傷つけてしまうことを防止できる。この結果、髪がパサつくことがなく、艶を失うことなく、櫛通りが滑らかになる。
【００１６】
また、髪の調髪時には、髪の一部が谷部に入り刃本体３２により切断されるが、髪の一部は山部により押し退けられ刃本体３２に接触せず切断されることがない。このため、髪の切断面が揃うことがなく、ヘアスタイルを自然な感じに仕上げることができる。
【００１７】
なお、調髪の終了後には、スイッチ３６をＯＦＦにし、押出片３４をスライドさせることにより、取付刃２８を支持プレート２４Ａ、２４Ｂの内部から外部（抜け出る方向）に押し出すことができる。これにより、取付刃２８を容易に支持プレート２４Ａ、２４Ｂの間から引き抜くことができる。また、ヘアーカッター１０の不使用時には、壁に備え付けられている引掛部（図示省略）を開口部１８に通してヘアーカッター１０を引っ掛けておくことができる。
【００１８】
次に、上記実施の形態のヘアーカッター１０の変形例について説明する。
【００１９】
上記実施の形態のヘアーカッター１０は、把持部１２とヘッド部２２が一体形成されている構成を例にとり説明したが、これに限られることはなく、例えば、把持部１２に回転軸（図示省略）を設け、ヘッド部２２が回転軸の軸回りに回転可能となる構成にし、ヘアーカッター１０の不使用時には、ヘッド部２２を把持部側に回転させるようにしても良い。これにより、ヘアーカッター１０をコンパクトなサイズに折り畳むことができ、不使用時に刃先からの安全を保つことができるとともに、大きな収納スペースが不要になる。また、ヘアーカッター１０をコンパクトなサイズにすることにより持ち運びし易くなる。
【００２０】
また、上記実施の形態のヘアーカッター１０は、コード部２０が把持部１２に固定されている構成を例にとり説明したが、これに限られることはなく、例えば、把持部１２に軸受け部（図示省略）を設け、コード部２０がこの軸受け部に回転可能に支持される構成にしてもよい。このようにすれば、ヘアーカッター１０の使用時において、把持部１２を回転させた場合でもコード部２０がねじれてしまうことがなく、ヘアーカッター１０が使い易くなる。
【００２１】
また、上記実施の形態のヘアーカッター１０は、一枚の取付刃２８が設けられた構成を例にとり説明したが、これに限られることはなく、例えば、複数の取付刃をヘッド部２２の厚み方向（図２及び図５中矢印Ｂ方向）に沿ってそれぞれ平行に設けてもよい。２枚の取付刃２８及び２９が設けられた場合の例を図８に示す。このとき、各取付刃２８、２９を所定の間隔を置いて設け、その刃本体３２、３３の刃先の位置を異ならせることにより、ヘアーカッター１０により切断する髪の長さにバリエーションを持たせることができ、自然なヘアスタイルに仕上げることができる。
【００２２】
さらに上記実施の形態のヘアーカッター１０に加振手段を設け、刃部の刃本体３２に振動を与えるようにすることもできる。図１０にこのような例のヘアーカッター１０の正面図を示す。このヘアーカッター１０には図示しないたとえば圧電素子などで構成される加振手段が設けられており、スイッチ３６によって、ヘアーカッター１０の制御を、発熱部と加振手段を共にオンする場合、発熱部のみをオンする場合、発熱部と加振手段を共にオフする場合に切り分けることができる。
【００２３】
この実施の形態では、加振部の働きにより、ヘアーカッター１０の刃部の刃本体３２に刃本体３２の長さ方向又は長さ方向に対して垂直な方向に振動を与えることができる。振動を与えると、理容師や美容師の調髪技術が例え劣っていても、毛髪の切断面が引きちぎられるように粗くなることを防止でき、刃本体３２の加熱と共に、切断面を滑らかにし、キューティクルを保護することになるので、毛髪がパサついたり、艶がなくなったりすることがない。
【００２４】
また、上記実施の形態のヘアーカッター１０に刃先の温度を表示する表示手段（図示省略）を設けることもできる。表示手段は例えばＬＥＤランプなどで構成し、刃先が適温である間は点灯し、温度が下がった場合には消灯するようにする。これにより、温度が低い場合にはヘアーカッター１０を使用しないようにでき、温度が低いときにカットすることで毛髪を痛める虞がなくなる。刃先が高温になりすぎたときはそれを示す別の表示手段を設けても良い。
【００２５】
また、支持プレート２４Ａ、２４Ｂの先端部近傍にストッパ（図示省略、抜け防止手段）を設けてもよい。このストッパは、ヘッド部２２にスライド可能に設けられており、スライドすることにより各支持プレート２４Ａ、２４Ｂ間の隙間を塞ぐように設けられている。これにより、支持プレート２４Ａ、２４Ｂの間に挿入された取付刃２８は、ストッパにより支持プレート２４Ａ、２４Ｂ間の隙間が塞がれているので、支持プレート２４Ａ、２４Ｂから抜け落ちることがない。
【００２６】
さらに、上記実施の形態のヘアーカッター１０の把持部１２にある凹部側１４と凸部側１６の位置を逆にして、把持部１２を逆側に湾曲させるようにしてもよい。これにより、使用者の趣味に合わせてヘアーカッター１０を使い易くすることができる。
【図面の簡単な説明】
【００２７】
【図１】本発明のヘアーカッターの使用状態を示した図である。
【図２】本発明のヘアーカッターの平面図である。
【図３】本発明のヘアーカッターの正面図である。
【図４】本発明のヘアーカッターの背面図である。
【図５】本発明のヘアーカッターの底面図である。
【図６】本発明のヘアーカッターの左側面図である。
【図７】本発明のヘアーカッターの右側面図である。
【図８】本発明のヘアーカッターの他の実施の形態の背面図である。
【図９】本発明のヘアーカッターの整髪部の拡大図である。
【図１０】本発明のさらに他のヘアーカッターの正面図である。
【符号の説明】
【００２８】
１０              ヘアーカッター
１２              把持部
１４              凹部側
１６              凸部側
１８              開口部
２０              コード部（電圧印加部）
２２              ヘッド部
２４Ａ、２４Ｂ    支持プレート
２５Ａ、２５Ｂ    支持プレート
２６Ａ、２６Ｂ    押圧部
２８              取付刃
２９              取付刃
３０Ａ、３０Ｂ    狭持片（整髪部）
３１Ａ、３１Ｂ    狭持片（整髪部）
３２              刃本体（刃）
３３              刃本体（刃）
３４              押出片（押出手段）
３６              スイッチ（制御部）
以上